【手続補正書】
【提出日】平成21年9月8日(2009.9.8)
【手続補正１】
【補正対象書類名】特許請求の範囲
【補正対象項目名】全文
【補正方法】変更
【補正の内容】
【特許請求の範囲】
【請求項１】
使用者の目の前方に位置するように配置されて画像の表示を行う表示手段と、
外界情報を取得する外界情報取得手段と、
上記外界情報取得手段で取得された情報に基づいて、上記表示手段の動作を制御する制御手段と、
を備える表示装置。
【請求項２】
画像の撮像を行う撮像手段を更に備える請求項１に記載の表示装置。
【請求項３】
上記制御手段は、上記外界情報取得手段で取得された情報に基づいて、上記撮像手段で撮像された画像データを上記表示手段で表示させる制御を行う請求項２に記載の表示装置。
【請求項４】
記録媒体からデータを再生する再生手段を更に備える請求項１に記載の表示装置。
【請求項５】
上記制御手段は、上記外界情報取得手段で取得された情報に基づいて、上記再生手段で再生されたデータを上記表示手段で表示させる制御を行う請求項４に記載の表示装置。
【請求項６】
外部機器と通信を行ってデータを受信する受信手段を更に備える請求項１に記載の表示装置。
【請求項７】
上記制御手段は、上記外界情報取得手段で取得された情報に基づいて、上記受信手段で受信されたデータを上記表示手段で表示させる制御を行う請求項６に記載の表示装置。
【請求項８】
上記表示手段は、透明もしくは半透明であるスルー状態と、供給されたデータの表示を行う表示状態とを切換可能である請求項１に記載の表示装置。
【請求項９】
上記外界情報取得手段は、上記外界情報として周囲環境状況を検出するセンサである請求項１に記載の表示装置。
【請求項１０】
上記外界情報取得手段は、上記外界情報として、上記撮像手段の撮像対象に関する情報を検出するセンサである請求項２に記載の表示装置。
【請求項１１】
上記外界情報取得手段は、外部機器との通信により、上記外界情報を取得する請求項１に記載の表示装置。
【請求項１２】
上記外界情報取得手段は、入力された画像データについての画像解析により、上記外界情報を取得する請求項１に記載の表示装置。
【請求項１３】
上記外界情報取得手段が取得する上記外界情報は、周囲の明るさ、又は温度、又は湿度、又は気圧、又は天候の情報である請求項１に記載の表示装置。
【請求項１４】
上記外界情報取得手段が取得する上記外界情報は、現在位置に該当する地点の情報である請求項１に記載の表示装置。
【請求項１５】
上記外界情報取得手段が取得する上記外界情報は、現在位置に該当する地域における建造物、又は自然物の情報である請求項１に記載の表示装置。
【請求項１６】
上記外界情報取得手段が取得する上記外界情報は、入力された画像データに含まれる特定の対象を判別する情報である請求項１に記載の表示装置。
【請求項１７】
上記外界情報取得手段が取得する上記外界情報は、入力された画像データに含まれる対象画像の動きの情報である請求項１に記載の表示装置。
【請求項１８】
上記表示手段は、透明もしくは半透明であるスルー状態と、供給されたデータの表示を行う表示状態とが切換可能とされるとともに、
上記制御手段は、上記表示手段に対して上記スルー状態と上記表示状態の切換制御を行う請求項１に記載の表示装置。
【請求項１９】
上記表示手段に供給する画像に含まれる文字に基づいて音声合成を行う音声合成手段と、
上記音声合成手段で生成された音声を出力する音声出力手段と、
を更に備える請求項１に記載の表示装置。
【請求項２０】
使用者の目の前方に位置するように配置されて画像の表示を行う表示手段を備えた表示装置の表示方法として、
外界情報を取得する外界情報ステップと、
上記外界情報取得ステップで取得された情報に基づいて上記表示手段における表示動作に関する制御を行う制御ステップと、
を備える表示方法。
【手続補正２】
【補正対象書類名】明細書
【補正対象項目名】００３０
【補正方法】変更
【補正の内容】
【００３０】
音声信号処理部１６は、例えばデジタルシグナルプロセッサ、Ｄ／Ａ変換器などからなる。この音声信号処理部１６には、音声入力部６で得られた音声データや、ストレージ部２５、或いは通信部２６からの音声データが、音声入出力コントロール部２８を介して供給される。音声信号処理部１６は、供給された音声データに対して、システムコントローラ１０の制御に応じて、音量調整、音質調整、音響エフェクト等の処理を行う。そして処理した音声データをアナログ信号に変換して音声出力部５に供給する。なお、音声信号処理部１６は、デジタル信号処理を行う構成に限られず、アナログアンプやアナログフィルタによって信号処理を行うものでも良い。
音声出力部５は、図１に示した一対のイヤホンスピーカ５ａと、そのイヤホンスピーカ５ａに対するアンプ回路を有する。
この音声入力部６、音声信号処理部１６，音声出力部５により、ユーザは外部音声を聞いたり、ストレージ部２５で再生された音声を聞いたり、通信部２６で受信された音声を聞くことができる。なお音声出力部５は、いわゆる骨伝導スピーカとして構成されてもよい。
【手続補正３】
【補正対象書類名】明細書
【補正対象項目名】００３１
【補正方法】変更
【補正の内容】
【００３１】
ストレージ部２５は、所定の記録媒体に対してデータの記録再生を行う部位とされる。例えばＨＤＤ（Hard Disc Drive）として実現される。もちろん記録媒体としては、フラッシュメモリ等の固体メモリ、固体メモリを内蔵したメモリカード、光ディスク、光磁気ディスク、ホログラムメモリなど各種考えられ、ストレージ部２５としては採用する記録媒体に応じて記録再生を実行できる構成とされればよい。
撮像部３で撮像され、撮像信号処理部１５で処理された撮像信号としての画像データや、通信部２６で受信した画像データは、画像入出力コントロール部２７を介してストレージ部２５に供給することができる。また音声入力部６で得られた音声データや、通信部２６で受信した音声データは、音声入出力コントロール部２８を介してストレージ部２５に供給することができる。
ストレージ部２５はシステムコントローラ１０の制御に従って、供給された画像データや音声データに対して、記録媒体への記録のためのエンコード処理を行い、記録媒体に記録する。
またストレージ部２５はシステムコントローラ１０の制御に従って、記録媒体から画像データや音声データを再生する。再生した画像データは画像入出力コントロール部２７へ出力し、また再生した音声データは音声入出力コントロール部２８へ出力する。
【手続補正４】
【補正対象書類名】明細書
【補正対象項目名】００３４
【補正方法】変更
【補正の内容】
【００３４】
また表示装置１には音声合成部２９が設けられる。この音声合成部２９はシステムコントローラ１０の指示に応じて音声合成を行い、音声信号を出力する。
音声合成部２９から出力された音声信号は、音声入出力コントロール部２８を介して音声信号処理部１６に供給されて処理された後、音声出力部５に供給され、ユーザに対して音声出力される。
この音声合成部２９は、例えば後述する読み上げ音声の音声信号を発生させることになる。
【手続補正５】
【補正対象書類名】明細書
【補正対象項目名】００３５
【補正方法】変更
【補正の内容】
【００３５】
表示装置１には照明部4と照明制御部１８が設けられる。照明部４は、図１に示した発光部４ａとその発光部４ａ（例えばＬＥＤ）を発光させる発光回路から成る。照明制御部１８は、システムコントローラ１０の指示に基づいて、照明部４に発光動作を実行させる。
照明部４における発光部４ａが図１に示したように前方に対する照明を行うものとして取り付けられていることで、照明部４はユーザの視界方向に対する照明動作を行うことになる。
【手続補正６】
【補正対象書類名】明細書
【補正対象項目名】００５５
【補正方法】変更
【補正の内容】
【００５５】
図１２（ａ）は、表示部２に、撮像機能系、再生機能系、又は受信機能系からの画像が通常に表示されている場合、もしくは表示部２がスルー状態とされている場合を示している。この画像では、例えばサッカースタジアムにおいてピッチ上に日陰と日なたの境界が生じ、見にくい状況となっている。
システムコントローラ１０は、表示画像処理部１２に指示して、例えば日陰部分に相当する領域の画素について表示輝度を向上させ、一方、日なた部分に相当する領域の画素について表示輝度を低下させることで、図１２（ｂ）のように日なた／日陰の影響が低減された画像が表示される。
【手続補正７】
【補正対象書類名】明細書
【補正対象項目名】００８４
【補正方法】変更
【補正の内容】
【００８４】
また撮像機能系をソースとして撮像画像の表示を表示部２で行っている場合は、周囲が暗ければ、表示輝度、コントラスト、シャープネスを上昇させ、ユーザが表示部２での表示画像により周囲を視認しやすい状態とする。例えば周囲が暗くて表示部２の表示画像が図１１（ａ）のようになっている状況から、図１１（ｂ）のような見やすい状態にすることが考えられる。
なお、このように周囲が暗い状況と判断した場合は、システムコントローラ１０は照明部４に照明を実行させる制御を行っても良い。
また、撮像機能系をソースとして表示部２の表示を行っている場合において周囲が明るすぎる状況であれば、この場合、ユーザがまぶしい感じを受けないように表示輝度を低下させルという処理が考えられる。
【手続補正８】
【補正対象書類名】明細書
【補正対象項目名】００９５
【補正方法】変更
【補正の内容】
【００９５】
図１９（ａ）は、画像解析部１７からの情報に基づいて表示制御トリガ発生と判断する例であるが、これは特に画像データが新聞、書籍等の画像であったり、図６（ｃ）のような電子書籍の画像データであるなどで、文字を含むものであるか否かを判別する例である。
図１９（ａ）のステップＦ７０１は、システムコントローラ１０が画像解析部１７からの情報を監視する処理を示している。画像解析部１７は画像解析により、画像データに文字が含まれているか否かを検出するものとする。
システムコントローラ１０は、画像解析部１７の解析結果の情報に基づいて、画像データに文字が含まれているか否かを判別する。
【手続補正９】
【補正対象書類名】明細書
【補正対象項目名】０１２０
【補正方法】変更
【補正の内容】
【０１２０】
また、表示装置１の外観や構成は図１，図３，図４の例に限定されるものではなく、各種の変形例が考えられる。
表示装置１として眼鏡型或いは頭部装着型の装着ユニットを有する例を述べたが、本発明の表示装置は、ユーザの眼前で表示を行うことができるように構成されればよく、例えばヘッドホン型、ネックバンドタイプ、耳掛け式など、どのような装着ユニットでユーザに装着されるものであってもよい。さらには、例えば通常の眼鏡やバイザー、或いはヘッドホン等に、クリップなどの取付具で取り付けることでユーザに装着されるような形態であってもよい。